(57)【特許請求の範囲】
【請求項１】
被検体に光を照射するための複数の照射プローブが装着される複数の照射プローブ装着部と、被検体を通過した光を受光するための複数の受光プローブが装着される複数の受光プローブ装着部と、上記照射プローブ装着部及び上記受光プローブ装着部に臨む検査体装着部とを有する検査ホルダと、
上記検査体装着部に選択的に配置され、
上記照射プローブ装着部に装着された上記照射プローブからの光を通過させ、上記受光プローブ装着部に装着された上記受光プローブに散乱する光検出検査体と、
上記照射プローブ装着部に装着された上記照射プローブからの光を受光し、受光した光の強度に応じた信号を出力する光強度検査体と、
を備えたことを特徴とする生体光計測装置の検査装置。
【請求項２】
上記光検出検査体に受光された受光プローブによって生体光計測装置の動作を検査し、
上記照射プローブは検出用光ファイバーケーブルを介して生体光計測装置本体に接続され、上記光強度検査体に受光された光の強度に応じた信号によって前記検出用光ファイバーケーブルの経年劣化を検査することを特徴とする請求項１に記載の生体光計測装置の検査装置。
【請求項３】
上記検査体装着部は、上記光検出検査体又は上記光強度検査体が選択的に挿入される検査体挿入穴を有することを特徴とする請求項１又は請求項２に記載の生体光計測装置の検査装置。
【発明の詳細な説明】
【技術分野】
【０００１】
この発明は、生体光計測装置における光の照射・受光状態に関する検査を行うための生体光計測装置の検査装置に関するものである。
【背景技術】
【０００２】
従来の生体光計測装置では、実際の被検体の生体内部情報を計測する前に、光散乱体から構成される生体模擬試料、即ちファントムに光を照射するとともに、ファントムを通過した光を検出し、プローブ、光ファイバケーブル及び計測装置本体の検査を行う（例えば、特許文献１参照）。
【０００３】
【特許文献１】特開２００１−１３７２４７号公報
【発明の開示】
【発明が解決しようとする課題】
【０００４】
上記のような従来の検査方法では、計測装置本体に戻って来た光の強度を計測することはできるが、例えば照射プローブからの光の照射強度など、他の検査を行うことができなかった。このため、従来は、製品の出荷前に、光パワーメータを用いて照射プローブの照射強度を１本ずつ計測していた。しかし、このような検査方法では、かなりの手間がかかるとともに、光ファイバケーブルの経年劣化等による照射強度の変化を検出することはできなかった。
【０００５】
この発明は、上記のような課題を解決するためになされたものであり、光の照射強度と受光状態の検査を効率良く行うことができる生体光計測装置の検査装置を得ることを目的とする。
【課題を解決するための手段】
【０００６】
この発明に係る生体光計測装置の検査装置は、被検体に光を照射するための複数の照射プローブが装着される複数の照射プローブ装着部と、被検体を通過した光を受光するための複数の受光プローブが装着される複数の受光プローブ装着部と、上記照射プローブ装着部及び上記受光プローブ装着部に臨む検査体装着部とを有する検査ホルダと、上記検査体装着部に選択的に配置され、上記照射プローブ装着部に装着された上記照射プローブからの光を通過させ、上記受光プローブ装着部に装着された上記受光プローブに散乱する光検出検査体と、上記照射プローブ装着部に装着された上記照射プローブからの光を受光し、受光した光の強度に応じた信号を出力する光強度検査体と、を備えている。
【発明の効果】
【０００７】
この発明の生体光計測装置の検査装置は、光の照射強度と受光状態の検査を行うための二つの検査体が共通の検査ホルダの検査体装着部に選択的に配置されるので、照射プローブ及び受光プローブを検査ホルダに装着したままで、光の照射強度と受光状態の検査を効率良く行うことができる。
【発明を実施するための最良の形態】
【０００８】
以下、この発明を実施するための最良の形態について、図面を参照して説明する。
実施の形態１．
図１はこの発明の実施の形態１による生体光計測装置の検査装置を示す斜視図である。図において、計測装置本体１には、ホルダ挿入穴１ａが設けられている。ホルダ挿入穴１ａには、平板状の検査ホルダ２の基端部が挿入されている。検査ホルダ２は、検査時には図１のように計測装置本体１から引き出され、非検査時には計測装置本体１内に押し込まれ収容される。即ち、検査ホルダ２は、検査位置と収容位置との間で水平にスライド変位可能である。
【０００９】
検査ホルダ２の上部には、複数の照射プローブ装着部（装着穴）２ａと、複数の受光プローブ装着部（装着穴）２ｂとが設けられている。図１では、照射プローブ装着部２ａを実線で示し、受光プローブ装着部２ｂを破線で示している。照射プローブ装着部２ａ及び受光プローブ装着部２ｂは、所定の間隔（例えば３０ｍｍ）をおいてマトリクス状に配列されている。
【００１０】
各照射プローブ装着部２ａには、被検体に光を照射するための照射プローブ３が装着（挿入）される。各受光プローブ装着部２ｂには、被検体を通過した光を受光するための受光プローブ４が装着（挿入）される。照射プローブ３は、照射用光ファイバケーブル３ａを介して計測装置本体１に接続されている。また、受光プローブ４は、検出用光ファイバケーブル４ａを介して計測装置本体１に接続されている。
【００１１】
検査ホルダ２内には、照射プローブ装着部２ａ及び受光プローブ装着部２ｂに臨む検査体装着部としての検査体挿入穴２ｃが設けられている。照射プローブ装着部２ａ及び受光プローブ装着部２ｂは、検査体挿入穴２ｃに連通している。また、検査体挿入穴２ｃは、検査ホルダ２の前面で開口している。
【００１２】
検査体挿入穴２ｃには、照射プローブ装着部２ａに装着された照射プローブ３からの光を受光することにより光の照射・受光状態に関する検査を行うための異なる情報を出力する複数種類の検査体が選択的に挿入される。この例では、検査体として光検出検査体５又は光強度検査体６が検査体挿入穴２ｃに挿入される。
【００１３】
図２は図１の検査体挿入穴２ｃに挿入される光検出検査体５を示す斜視図、図３は図１の検査体挿入穴２ｃに光検出検査体５を挿入した状態を示す断面図である。光検出検査体５は、照射プローブ３からの光を減衰させて通過させ、通過光（検査を行うための情報）を受光プローブ４に受光させる。即ち、光検出検査体５は、平板状の光散乱体から構成され、生体模擬試料（ファントム）として機能する。光検出検査体５を通過し受光プローブ４で受光された光を計測装置本体１で計測することにより、装置全体の動作の検査を行うことができる。
【００１４】
図４は図１の検査体挿入穴２ｃに挿入される光強度検査体６を示す斜視図、図５は図４の光強度検査体６を示す平面図、図６は図１の検査体挿入穴２ｃに光強度検査体６を挿入した状態を示す断面図である。光強度検査体６の上部には、照射プローブ３からの光を受光する複数の光電センサ７が設けられている。各光電センサ７は、受光した光の強度に応じた電気信号を発生する複数の光電センサ７が設けられている。また、光電センサ７は、照射プローブ装着部２ａに対応する位置に配置されている。
【００１５】
また、光強度検査体６の検査体挿入穴２ｃへの挿入方向先端部には、検査体側コネクタ８が設けられている。検査ホルダ２には、光強度検査体６を検査体挿入穴２ｃに挿入したときに検査体側コネクタ８に接続されるホルダ側コネクタ９が設けられている。光電センサ７で発生した信号（検査を行うための情報）は、光強度検査体６内の配線を介して検査体側コネクタ８に集められ、検査体側コネクタ８からホルダ側コネクタ９を介して計測装置本体１に送られる。計測装置本体１では、各光電センサ７からの信号に基づいて各照射プローブ３からの光の照射強度が正常であるかどうかが確認される。
【００１６】
このような生体光計測装置の検査装置によれば、異なる検査を行うための２種類の検査体、即ち光検出検査体５及び光強度検査体６が共通の検査ホルダ２の検査体挿入穴２ｃ内に選択的に配置されるので、照射プローブ３及び受光プローブ４を検査ホルダ２に装着したままで、２種類の検査を効率良く行うことができる。
【００１７】
また、検査体として光強度検査体６を用いることにより、複数の照射プローブ３からの光の照射強度を計測前等に効率良く検査することができる。これにより、光ファイバケーブル３ａ，４ａの経年劣化等による照射強度の低下を検出することができる。また、光の照射強度が何等かの原因で基準より高くなっていた場合にも、光強度検査体６を用いた検査により異常を容易に検出することができる。さらに、検査結果に応じて照射強度（光量）の調整を行うことができ、しかも多チャンネルの同時調整を行うことも可能となり、作業効率を向上させることができる。
【００１８】
実施の形態２．
次に、図７はこの発明の実施の形態２による生体光計測装置の検査装置を示す構成図である。実施の形態１では、検査ホルダ２が計測装置本体１に設けられているが、実施の形態２では、検査ホルダ２が計測装置本体１から切り離されている。そして、光の照射強度の検査は、計測装置本体１ではなく、専用の光強度計１０により行われる。光強度計１０には、ホルダ側コネクタ９に接続される強度計側コネクタ１１が設けられている。なお、光検出検査体５による検査は、実施の形態１と同様に計測装置本体１で行われる。
【００１９】
このような構成によれば、計測装置本体に照射強度検査の機能を持たない従来の生体光計測装置についても、照射強度の検査を容易に実施することができる。
【００２０】
なお、実施の形態２では検査ホルダ２が計測装置本体１から切り離されているが、実施の形態１と同様に検査ホルダ２が計測装置本体１から引き出されるタイプであってもよい。この場合、光強度検査体６の検査体挿入穴２ｃへの挿入方向後端部に検査体側コネクタ８を設け、検査体挿入穴２ｃの開口部から外部に露出した検査体側コネクタ８に強度計側コネクタ１１を接続するようにすればよい。
【００２１】
また、実施の形態１、２では、光検出検査体５と光強度検査体６とを完全に差し替える例を示したが、光検出検査体と光強度検査体とが並べて配置された平板状の検査体ユニットを用い、検査ホルダに対して検査体ユニットをスライドさせることにより、光検出検査体及び光強度検査体を検査体装着部に選択的に配置するようにしてもよい。
【００２２】
さらに、光検出検査体と光強度検査体とを検査体装着部に重ねて配置し、使用しない方の検査体の位置をずらして検査体装着部から外す構成としてもよい。
さらにまた、実施の形態１、２では、２種類の検査体を示したが、さらに異なる検査を行うために３種類以上の検査体を用いてもよい。
また、照射プローブ装着部及び受光プローブ装着部の数や配置は、特に限定されるものではない。
さらに、検査ホルダの形状も上記の例に限定されるものではない。
【図面の簡単な説明】
【００２３】
【図１】この発明の実施の形態１による生体光計測装置の検査装置を示す斜視図である。
【図２】図１の検査体挿入穴に挿入される光検出検査体を示す斜視図である。
【図３】図１の検査体挿入穴に光検出検査体を挿入した状態を示す断面図である。
【図４】図１の検査体挿入穴に挿入される光強度検査体を示す斜視図である。
【図５】図４の光強度検査体を示す平面図である。
【図６】図１の検査体挿入穴に光強度検査体を挿入した状態を示す断面図である。
【図７】この発明の実施の形態２による生体光計測装置の検査装置を示す構成図である。
【符号の説明】
【００２４】
２  検査ホルダ、２ａ  照射プローブ装着部、２ｂ  受光プローブ装着部、２ｃ  検査体挿入穴（検査体装着部）、３  照射プローブ、４  受光プローブ、５  光検出検査体、６  光強度検査体。
【図１】
0004785130.tif 000002
【図２】
0004785130.tif 000003
【図３】
0004785130.tif 000004
【図４】
0004785130.tif 000005
【図５】
0004785130.tif 000006
【図６】
0004785130.tif 000007
【図７】
0004785130.tif 000008